(57)【要約】【課題】一つの電動モーターにより前後二つの床面の昇降を制御する電動ベッドの床傾斜調整機構。【解決手段】床フレーム１０、及び床フレーム１０に傾動可能に枢着された前床面板１１および後床面板１２、電動モーター１３を備え、電動モーター１３により回転棒１４を回動して回転棒に固定された押し棒１６により前床面板１１を押圧して起立させる。  後床面板１２に枢着された連接棒２２の起立動作により、後床面板を傾斜可能とし、該回転棒に固定された肘接片１５に枢着された連動棒２０を前後にスライド可能とし、その末端のスライドレール２１内を連接棒先端の枢軸２３をスライド可能として、該スライドレールの溝内に嵌合部２４を嵌合させて枢軸のスライド移動を規制することにより、後床面板を傾斜動作させる。【選択図】図１
0003155553.tif 000002
【実用新案登録請求の範囲】
【請求項１】
床フレームと、
前記床フレームに傾動可能に枢着される前床面板および後床面板と、
床面板を昇降させる電動モーターと、具え、
前記電動モーターにより駆動される回転棒に固定された押し棒により該前床面板を傾動させると共に、該回転棒に固定された肘接片に枢着された連動棒をスライド移動可能とし、
該連動棒の末端の両側面に設けたスライドレールに、前記後床面板に枢着されて起立動作させる連接棒末端がスライド可能に配置され、
該スライドレールに嵌合操作可能に嵌合部が枢接され、該嵌合部が前記スライドレール間に嵌合して閉塞し、該スライドレール内をスライド移動する前記連接棒末端に当接してその移動を規制することにより、
前記後床面板の同時昇降操作を行うことを特徴とする電動ベッドの床傾斜調節機構。
【請求項２】
前記嵌合部は、一つまたは複数の板片が枢接されたものであることを特徴とする請求項１に記載の電動ベッドの床傾斜調節機構。
【請求項３】
前記連接棒は、二本の棒が相互に挿着して長さを変更可能な伸縮構造であることを特徴とする請求項１に記載の電動ベッドの床傾斜調節機構。
【請求項４】
前記連動棒は、末端がＵ字型の溝を有する管状であることを特徴とする請求項１に記載の電動ベッドの床傾斜調節機構。
【考案の詳細な説明】
【技術分野】
【０００１】
本考案は、電動ベッドの床調整機構に関し、特に、一つの電動モーターにより前後二つの床面の昇降を制御する電動ベッドの床調整機構に関する。
【背景技術】
【０００２】
従来の電動ベッドの床昇降調節構造は、特殊用途または快適な使い心地の需要に合わせ、床面は、前後異なる部分に分けられた多片式連結であることが多い。昇降制御が必要なため、床フレーム上に前後床板面をそれぞれ制御する電動モーターユニットが二つ装着されている。これにより、前後床板面がそれぞれ連動昇降制御される。以上のような構造は、部品数が多く、電動モーターの設置コスト、および制御配線など技術的コストも高いため、業者にとって、大きな問題であった。特に、特殊用途の分段昇降床面調節の場合、床面において、異なる傾斜角度の調節を行うことが要求されるが、従来の前後床板面に別々の電動モーターがそれぞれ装着されると、床フレーム全体の重量が増加し、さらに、配線、制御機構などの配置のため、全体のコストが増大し、業者を悩ませた。そのため、連接棒の運用および電動モーター数の減少により、構造を簡素化し、コストを削減する電動ベッドが求められていた。
【先行技術文献】
【特許文献】
【０００３】
【特許文献１】特開平１０−３３５９５号公報
【考案の概要】
【考案が解決しようとする課題】
【０００４】
本考案の目的は、一つの電動モーターにより前後二つの床面の昇降を制御する電動ベッドの床調整機構を提供することにある。
【０００５】
上述の目的を達成するため、本考案は、電動ベッドの床傾斜調節機構を提供する。本考案の電動ベッドの床傾斜調節機構は、床フレーム、床フレームに装着される前床面板および後床面板、床面板を昇降させる電動モーターを備える。一つの電動モーターにより面板の回転棒を連動して前床面板上昇させる。肘接片により後床面板の下方に延伸する連動棒が枢接される。連動棒の末端の両側面に、後床面板に接続する連接棒が枢接されるスライドレールが設けられている。連動棒の末端に嵌合部が枢接され、嵌合部が連動棒の溝内を塞ぐことにより、連接棒の移動距離が限定され、連接棒の底端が連動棒内の嵌合部に邪魔される。連接棒の制御により後床面板の同時昇降操作を行う。
【考案の効果】
【０００６】
本考案の電動ベッドの床傾斜調節機構は、一つの電動モーターにより簡単に床面の昇降調節を行うことにより、構造全体が大幅に簡素化し、生産コストも大幅に削減することができる。また、連接棒が伸縮するように設計されると、床面調節時において、更なる安全性を確保することができる。
【図面の簡単な説明】
【０００７】
【図１】本考案の一実施形態による電動ベッドの床面構造を示す斜視図である。
【図２】本考案の一実施形態による電動ベッドの床面構造を平らにした状態を示す斜視図である。
【図３】本考案の床面板が平らで、連動嵌合部が平面である状態を示す側面図である。
【図４】本考案の床面板が若干傾斜して上昇した状態を示す側面図である。
【図５】本考案の床面板が完全に上昇した状態を示す側面図である。
【図６】本考案の床面板が平らな状態における連動棒および嵌合部の組み合わせを示す斜視図である。
【図７】本考案の床面板が若干傾斜して上昇した状態における嵌合部の状態を示す斜視図である。
【図８】本考案の床面板が完全に上昇した状態における嵌合部の状態を示す斜視図である。
【図９】本考案の後床面板に異物が入った状態を示す側面図である。
【図１０】本考案の後床面板に異物が入った状態における連接棒が延伸した状態を示す側面図である。
【考案を実施するための形態】
【０００８】
以下、本考案の実施形態を図面に基づいて説明する。
【０００９】
図１〜５を参照する。図１は、本考案の一実施形態による電動ベッドの床面構造を示す斜視図である。図２は、本考案の一実施形態による電動ベッドの床傾斜調節機構を示す斜視図である。図３は、本考案の床面板が平らで、連動嵌合部が平面である状態を示す側面図である。図４は、本考案の床面板が若干傾斜して上昇した状態を示す側面図である。図５は、本考案の床面板が完全に上昇した状態を示す側面図である。図１〜５に示すように、本考案の電動ベッドの床傾斜調節機構は、電動ベッドの床フレーム１０、その上面に装着される前床面板１１および二つの片体からなる後床面板１２を備え、傾斜をつける前半部および足の形態に応じて湾曲調節を行う後半部を構成する。床面調節は、床フレーム１０底部の中段に装着された電動モーター１３により操作される。電動モーター１３により回転棒１４が回転すると、前床面板１１底部に配置された回転棒１４に固定された押し棒１６が回動することにより、前床面板１１の上昇操作が行われる。回転棒１４のもう一方の相対位置に同様に肘接片１５が設けられ、該肘接片１５を枢接している連動棒２０は、後床面板１２の下方の適切な位置に接続している。床フレーム１０の横棒１７上にＵ字型の支持部１８が設けられているが、支持部１８により連動棒２０の位置決めの補助が行われる。連動棒２０は、支持部１８の上方を滑るように貫通してスライド移動を行う。連動棒２０の末端は、Ｕ字型の溝を有する管状で、溝の両側面に相対するスライドレール２１が設けられている。後床面板１２底部が連接棒２２の底端に接続し、枢軸２３により直接連動棒２０のスライドレール２１に枢着されているため、後床面板１２は、連動棒２０とともにスライド移動を行う。
【００１０】
図６〜８を参照する。図６は、本考案の床面板が平らな状態における連動棒および嵌合部の組み合わせを示す斜視図である。図７は、本考案の床面板が若干傾斜して上昇した状態における嵌合部の装着状態を示す斜視図である。図８は、本考案の床面板が完全に上昇した状態における嵌合部の状態を示す斜視図である。図６〜８に示すように、連動した床面の角度を制御するため、連動棒２０の末端に嵌合部２４が枢着されている。嵌合部２４は、一つまたは複数の適当な厚さの板片が湾曲され、枢接されたものである。使用時において、連動棒２０内のＵ字型の溝内に嵌合部２４が嵌合される部分の長さを変えることがポイントである。床面が平らなら、嵌合部２４は、連動棒２０のＵ字型の溝内に全く配置されることがない。連動棒２０を引っ張られた場合、電動モーター１３が前床面板１１を傾斜させながら上昇させ、肘接片１５を回動させるが、連動棒２０が引っ張られると、連動棒２０の末端の溝内に嵌合部２４が配置されていないため、後床面板１２底部の連接棒２２と枢着する枢軸２３は、スライドレール２１上で連動移しても該嵌合部２４に当接することがなく、後床面板１２は、上昇することがない。後床面板１２に適当な傾斜を持たせて、快適な寝心地が得られるようにするには、嵌合部２４が連動棒２０の末端の溝内に嵌合され、溝を塞いだ状態にすればよいのである。連動棒２０が連動されて前方に移動すると、スライドレール２１内の枢軸２３が嵌合部２４に当接してそれ以上移動することができず、連接棒２２が上方に起立して後床面板１２の床面の傾斜角度が調節される。そのため、嵌合部２４が嵌合する部分の長さが長くなるにしたがい、傾斜角度も大きくなる。嵌合部２４の溝内に嵌合される部分の長さを変化させることにより、連接棒２２の末端の枢軸２３が当接する位置を調節して電動ベッドの後床面板１２および前床面板１１が相互に連動して制御される。一つの電動モーター１３により簡単に床面の昇降調節を行うことにより、実用的で低コストの電動ベッドを提供することができる。
【００１１】
本考案の電動ベッドの伝動調節構造は、連動棒２０の連動制御に嵌合部２４の嵌合部分の長さを変化させることを組み合わせることにより床面の傾斜角度を調節することができる。一つの電動モーター１３により連動制御を行うため、構造全体が大幅に簡素化し、生産コストも大幅に削減することができる。また、後床面板１２の底部に接続する連接棒２２が伸縮するように設計されると、床面調節時において、更なる安全性を確保することができる。図９および図１０を参照する。図９は、本考案の後床面板に異物が入った状態を示す側面図である。図１０は、本考案の後床面板に異物が入った状態における連接棒が延伸した状態を示す側面図である。図９および図１０に示すように、後床面板１２の下降操作が行われる際、不注意により異物Ａまたは手が空間内に入ると、床面の下降時に、連接棒２２が伸縮自在であるため、下半分が連動棒２０とともに引っ張られ延伸する。そのため、連接棒２２の上半分が引っ張られて、後床面板１２が下降してしまうことがなく、床面は、元の位置に留まり、異物Ａを簡単に除去することができる。これにより、電動ベッドの使用において、更なる安全性を確保できるため、実用的で、安全な電動ベッドという全く新しいタイプを開拓したと言うことができる。連動制御構造については、簡素で実用的で、特殊な技術を必要としない。また、嵌合部２４も簡潔な構造で、嵌合および解放の操作が安全にでき、組立が簡単で、利便性に富む。
【００１２】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。従って、本考案の保護の範囲は、実用新案請求の範囲で指定した内容を基準とする。
【符号の説明】
【００１３】
１０  床フレーム
１１  前床面板
１２  後床面板
１３  電動モーター
１４  回転棒
１５  肘接片
１６  押し棒
１７  横棒
１８  支持部
２０  連動棒
２１  スライドレール
２２  連接棒
２３  枢軸
２４  嵌合部
【図１】
0003155553.tif 000003
【図２】
0003155553.tif 000004
【図３】
0003155553.tif 000005
【図４】
0003155553.tif 000006
【図５】
0003155553.tif 000007
【図６】
0003155553.tif 000008
【図７】
0003155553.tif 000009
【図８】
0003155553.tif 000010
【図９】
0003155553.tif 000011
【図１０】
0003155553.tif 000012